(57)【特許請求の範囲】
【請求項１】
固液分離装置において固液混合物を固体と液体とに分離するためのスクリーンを洗浄するスクリーン洗浄装置であって、
前記スクリーンに高圧水を噴射するノズル管と、ノズル管に高圧水を供給する供給管と、ノズル管を揺動するノズル管揺動機構と、ノズル管揺動機構を駆動する駆動手段とを備え、
前記ノズル管揺動機構は、前記供給管を軸周りに回転可能に水平配置し、前記駆動手段により前記供給管を軸周りに回転して、前記ノズル管を上下方向に揺動する上下揺動機構と、前記ノズル管を前記供給管に左右方向に揺動可能に接続し、前記駆動手段により前記ノズル管を左右方向に揺動する左右揺動機構とを備え、前記ノズル管を上下方向および左右方向に揺動しながら、前記高圧水を前記スクリーンに噴射して前記スクリーンを洗浄することを特徴とするスクリーン洗浄装置。
【請求項２】
前記左右揺動機構は、前記駆動手段により左右方向に揺動する揺動部材と、前記揺動部材の揺動を前記ノズル管に伝達する伝達部材とを備え、前記伝達部材の一端部は前記ノズル管に取り付けられ、前記伝達部材の他端部は前記揺動部材に形成された切欠きまたは長孔に挿入されることを特徴とする請求項１に記載のスクリーン洗浄装置。
【請求項３】
前記揺動部材は二股レバーであり、前記伝達部材はＬ字状の棒部材であることを特徴とする請求項２に記載のスクリーン洗浄装置。
【請求項４】
前記供給管に前記高圧水を供給する可撓性ホースを備え、前記供給管と前記可撓性ホースとが第１のスイベルジョイントを介して接続されることを特徴とする請求項１から請求項３のいずれか１項に記載のスクリーン洗浄装置。
【請求項５】
前記供給管と前記ノズル管とが第２のスイベルジョイントを介して接続されることを特徴とする請求項１から請求項４のいずれか１項に記載のスクリーン洗浄装置。
【請求項６】
前記駆動手段は、前記上下揺動機構および前記左右揺動機構を駆動する一つのモータと、前記モータの出力を減速する減速機とを備え、前記上下揺動機構および前記左右揺動機構のいずれか一方を前記減速機を介して駆動することを特徴とする請求項１から請求項５のいずれか１項に記載のスクリーン洗浄装置。
【請求項７】
前記ノズル管は、先端が二股に分岐し、分岐した先端のそれぞれに噴射口を備え、前記噴射口から互いに異なる方向に前記高圧水を噴射することを特徴とする請求項１から請求項６のいずれか１項に記載のスクリーン洗浄装置。
【発明の詳細な説明】
【技術分野】
【０００１】
本発明は、固液分離装置において固液混合物を固体と液体とに分離するためのスクリーンに高圧水を噴射して、当該スクリーンを洗浄するスクリーン洗浄装置に関する。
【背景技術】
【０００２】
従来から、固液混合物を固体と液体とに分離する固液分離装置は、製紙、繊維、薬品、食品製造など多くの産業分野において、産業排水からこれに含まれる固体成分を取り除くことを一例として、様々な用途に用いられている。
【０００３】
固液分離装置は、一般的にはスクリーンを用いて固液混合物を固体と液体とに分離する。具体的には、スクリーンの目の大きさを予め選定して固体がスクリーンの目を通過できないようにし、液体だけがスクリーンの目を通過できるようにして、固液混合物を固体と液体とに分離する。
【０００４】
このようなスクリーンを用いた固液分離装置は、固液混合物の種類によっては、継続して使用すると、スクリーンの目に粘着性の物質が付着したり、固体が詰まったりするため、スクリーンの分離性能が低下してしまう。そこで、固液分離装置には、スクリーンを洗浄するためのスクリーン洗浄装置が設けられる。スクリーン洗浄装置は、ノズルから高圧化した洗浄水をスクリーンに向かって噴射し、スクリーンの目に付着した粘着性の物質や詰まった固体を除去し、スクリーンの分離性能の低下を防止する。
【０００５】
例えば、特許文献１に記載の分離装置に設けられた洗浄装置は、分離材（スクリーンに相当）と、分離材に対して洗浄液を噴射する洗浄液噴射ノズルと、分離材に対して上下方向に沿って設けられたガイドレールと、洗浄液噴射ノズルが取り付けられ、ガイドレールに沿って移動自在なキャリッジとを備える。そして、洗浄装置は、モータによりキャリッジをガイドレールに沿って移動させることで、洗浄液を噴射している洗浄液噴射ノズルを上下方向に直線的に往復移動させて分離材全体を洗浄して、分離材の目詰まりを除去している。
【０００６】
しかしながら、特許文献１のように、洗浄液噴射ノズルを上下方向に直線的に往復移動させる構成により、分離材全体を洗浄するためには、分離材の上下幅に相当する長さのガイドレールを配設しなければならないため、洗浄装置が大型化してしまう問題がある。また、洗浄液噴射ノズルは、左右方向へ移動することはできないため、複数のノズルを非常に狭い間隔で左右方向に配置しなければ、分離材を左右方向全体に渡って洗浄することはできない。
【先行技術文献】
【特許文献】
【０００８】
【特許文献１】特開平１１−７６７１２号公報
【発明の概要】
【発明が解決しようとする課題】
【０００９】
本発明が解決しようとする課題は、高圧水を噴射するノズル管を直線的に往復運動させずにスクリーン全体を洗浄できるスクリーン洗浄装置を提供することにある。
【課題を解決するための手段】
【００１０】
上記課題を解決するために、本発明に係るスクリーン洗浄装置は、固液分離装置において固液混合物を固体と液体とに分離するためのスクリーンを洗浄するスクリーン洗浄装置であって、
前記スクリーンに高圧水を噴射するノズル管と、ノズル管に高圧水を供給する供給管と、ノズル管を揺動するノズル管揺動機構と、ノズル管揺動機構を駆動する駆動手段とを備え、
ノズル管揺動機構は、供給管を軸周りに回転可能に水平配置し、駆動手段により供給管を軸周りに回転して、ノズル管を上下方向に揺動する上下揺動機構と、ノズル管を供給管に左右方向に揺動可能に接続し、駆動手段によりノズル管を左右方向に揺動する左右揺動機構とを備え、ノズル管を上下方向および左右方向に揺動しながら、高圧水をスクリーンに噴射してスクリーンを洗浄すること特徴とする。
【００１１】
好ましくは、左右揺動機構は、駆動手段により左右方向に揺動する揺動部材と、揺動部材の揺動をノズル管に伝達する伝達部材とを備え、伝達部材の一端部はノズル管に取り付けられ、伝達部材の他端部は揺動部材に形成された切欠きまたは長孔に挿入されている。
【００１２】
好ましくは、揺動部材は二股レバーであり、伝達部材はＬ字状の棒部材である。
【００１３】
好ましくは、供給管に高圧水を供給する可撓性ホースを備え、供給管と可撓性ホースとが第１のスイベルジョイントを介して接続される。
【００１４】
好ましくは、供給管とノズル管とが第２のスイベルジョイントを介して接続される。
【００１５】
好ましくは、駆動手段は、上下揺動機構および左右揺動機構を駆動する一つのモータと、モータの出力を減速する減速機とを備え、上下揺動機構および左右揺動機構のいずれか一方を減速機を介して駆動する。
【００１６】
好ましくは、ノズル管は、先端が二股に分岐し、分岐した先端のそれぞれに噴射口を備え、噴射口から互いに異なる方向に高圧水を噴射する。
【発明の効果】
【００１８】
本発明によると、高圧水を噴射するノズル管を上下揺動機構により上下方向に揺動し、かつ左右揺動機構により左右方向に揺動することで、スクリーン全体を洗浄する。すなわち、本発明は、ノズル管が特許文献１のような直線的な往復運動ではなく、揺動運動することでスクリーンを洗浄する構成となっている。この構成により、特許文献１のように、スクリーンの上下幅に相当する長さのガイドレールを設ける必要はないため、スクリーン洗浄装置が大型化することはない。
【図面の簡単な説明】
【００２０】
【図１】本発明に係るスクリーン洗浄装置を備えた固液分離装置の側面図である。
【図２】本発明に係るスクリーン洗浄装置の構成を説明するための図である。
【図３】本発明に係るスクリーン洗浄装置の斜視図である。
【図４】本発明に係るスクリーン洗浄装置において、ノズル管が揺動する様子を示す図である。
【図５】本発明に係るスクリーン洗浄装置の構成を示すブロック図である。
【図６】本発明に係るスクリーン洗浄装置に用いるノズル管の他の実施例の側面図である。
【図７】本発明に係るスクリーン洗浄装置を備えた固液分離装置の他の実施例の側面図である。
【発明を実施するための形態】
【００２１】
以下、図面に基づいて本発明に係るスクリーン洗浄装置３（以下、単にスクリーン洗浄装置という）について説明する。なお、実施例ではスクリーン洗浄装置３が、流化式の固液分離装置１に設置された場合を例にして説明する。
【００２２】
図１に示す固液分離装置１は、固液混合物２を固体２０と液体２１とに分離する装置である。固液分離装置１は、固液混合物２を分離するためのスクリーン１０と、固液混合物２をスクリーン１０上へ供給するための供給箱１１とを備える。スクリーン１０は装置本体に傾斜をつけて設けられ、供給箱１１はスクリーン１０の上方に設けられる。固液分離装置１は、固液混合物２を供給箱１１の後方下端の供給口１２から供給箱１１へ連続的に供給し、供給箱１１から溢れ出させて、スクリーン１０上へ滝のように流下させる。
【００２３】
固液混合物２がスクリーン１０上を流下する際に、固液混合物２の液体２１はスクリーン１０の目の間を通り抜け、装置本体下端の排出口１３から排出される。一方、固液混合物２の固体２０はスクリーン１０の目の間を通り抜けることはできず、スクリーン１０の傾斜に沿って滑り落ち、スクリーン１０の下方に配置された固体収容箱１４に収容される。こうして、固液混合物２は、スクリーン１０によって固体２０と液体２１とに分離される。
【００２４】
固液分離装置１は、分離する固液混合物２の種類によっては、継続して使用した場合、スクリーン１０の目に粘着性の付着物が生成し、または固体２０が詰まることにより、スクリーン１０の分離性能が低下することがある。そこで、固液分離装置１は、スクリーン１０を洗浄するスクリーン洗浄装置３を備える。スクリーン洗浄装置３は、高圧水Ｗをスクリーン１０へ噴射し、スクリーン１０の目に付着した付着物や、詰まった固体２０を除去し、スクリーン１０の分離性能の低下を防止する。
【００２５】
スクリーン洗浄装置３は、固液分離装置１の左右一対の側板１５に両端が固定された支持フレーム１６（図３）に支持されている。スクリーン洗浄装置３は、図２および図３に示すように、スクリーン１０へ高圧水Ｗを噴射するノズル管３０を備える。さらに、スクリーン洗浄装置３は、ノズル管３０へ高圧水Ｗを供給するために、可撓性ホース３１と、非可撓性の供給管３２とを備える。洗浄水が昇圧ポンプ３５（図１）で昇圧され高圧水Ｗとなり、可撓性ホース３１および供給管３２を通ってノズル管３０に供給され、ノズル管３０の先端の噴射口３０ａから噴射する。
【００２６】
スクリーン洗浄装置３は、ノズル管３０を揺動するためのノズル管揺動機構を備え、このノズル管揺動機構により、ノズル管３０を揺動しながら高圧水Ｗを噴射してスクリーン１０の自動洗浄を行う。ノズル管揺動機構は、ノズル管３０を上下方向に揺動する上下揺動機構４と、ノズル管３０を左右方向に揺動する左右揺動機構５とで構成される。また、スクリーン洗浄装置３は、上下揺動機構４と、左右揺動機構５とを駆動するための駆動手段６を備える。なお、駆動手段６は、図３に示すように、支持フレーム１６に支持された筺体１８内に設けられる。以下、上下揺動機構４、左右揺動機構５、および駆動手段６の構成について図２から図５を参照して詳細に説明する。なお、図５はスクリーン洗浄装置３の構成を示すブロック図である。
【００２７】
上下揺動機構４は、以下のようにして構成される。ノズル管３０へ高圧水Ｗを供給する供給管３２は、支持フレーム１６から垂下する一対の支持部材１７に、軸周りに回転可能に水平支持される水平部３２ａと、この水平部３２ａから下方垂直に突出した垂直部３２ｂとで構成される。供給管３２の水平部３２ａは、その一端において第１のスイベルジョイント（中空の回転継手）３３を介して可撓性ホース３１に接続される。供給管３２の垂直部３２ｂは、ノズル管３０に接続される。
【００２８】
上下揺動機構４は、クランクレバー４０と、棒状の連結部材４１と、供給管３２の水平部３２ａから径方向に突出するように設けられた突出部材４２とを備える。クランクレバー４０は、基端部４０ａが後述する駆動手段６の減速機６１の出力軸６１ｂに取り付けられ、先端部４０ｂがボールジョイント４３ａを介して、連結部材４１の一端側と連結する。そして、供給管３２から突出する突出部材４２は、ボールジョイント４３ｂを介して連結部材４１の他端側と連結する。
【００２９】
上記構成により、減速機６１の出力軸６１ｂが回転すると、クランクレバー４０が回転し、クランクレバー４０の先端部４０ｂに取り付けられた連結部材４１の一端側が出力軸６１ｂ周りに回転する。すると、連結部材４１の他端側に取り付けられた突出部材４２が上下方向に揺動し、供給管３２の水平部３２ａが軸周りに所定の角度範囲で反復回転する。これにより、供給管３２の垂直部３２ｂに接続されたノズル管３０が供給管３２の軸周りに上下方向に所定の角度範囲で揺動する。
【００３０】
こうして、減速機６１によって上下揺動機構４が駆動することで、すなわちクランクレバー４０、連結部材４１および突出部材４２が動作することで、供給管３２が軸周りに回転し、ノズル管３０が供給管３２の軸周りに上下方向に揺動する（図５）。なお、減速機６１の駆動は、後述する通り、モータ６０の駆動力がチェーン６４により減速機６１に伝達されることにより行われる。
【００３１】
なお、上下揺動機構４では、可撓性ホース３１と供給管３２とを第１のスイベルジョイント３３で接続しているため、供給管３２が軸周りに回転したとしても、これに伴って可撓性ホース３１が回転して捻れることはない。したがって、供給管３２が回転しても可撓性ホース３１に捻れ負荷が作用することはなく、可撓性ホース３１には高圧水Ｗの水圧による負荷が作用するだけである。そのため、捻れ負荷によって、可撓性ホース３１が破損したり、口金部（供給管３２との接続部分）から抜けたりする虞はない。これにより、故障原因になり易い可撓性ホース３１を経年的に使用でき、可撓性ホース３１のメンテナンスの間隔を延ばすことができ、さらにスクリーン洗浄装置３の無人運転の信頼性が向上する。
【００３２】
左右揺動機構５は以下のように構成される。ノズル管３０は供給管３２の垂直部３２ｂに接続されているが、当該接続を第２のスイベルジョイント３４を介して行うことで、ノズル管３０を左右方向に回転可能とする。左右揺動機構５は、矩形状部材５０と、棒状の連結部材５１と、揺動可能に設けられる揺動部材５２と、揺動部材５２の揺動をノズル管３０へ伝達するための伝達部材５３とを備える。
【００３３】
左右揺動機構５の矩形状部材５０は、その一端側が駆動手段６のモータ６０の出力軸６０ａに取り付けられ、他端側がボールジョイント５４ａを介して連結部材５１の一端側と連結する。
【００３４】
揺動部材５２は、二股レバーであって、円柱状の軸体部５５と、軸体部５５から径方向にのびる二股部５６とで構成される。軸体部５５は、その軸方向が垂直方向（鉛直方向）となるように、筺体１８の底面を貫通するように形成された中空の円筒部１９に挿入され、軸周りに回転可能である。軸体部５５の上端には、径方向に突出する突出部材５７が設けられ、この突出部材５７がボールジョイント５４ｂを介して連結部材５１の他端側と連結する。
【００３５】
二股部５６は、円筒部１９に挿入された軸体部５５の下端において水平に保持されている。二股部５６は一対の先端部５６ａを備え、その間に切欠き５６ｂが形成されている。二股部５６は、一対の先端部５６ａがスクリーン１０と反対側を向くように設けられる。
【００３６】
伝達部材５３はＬ字状の棒部材で構成される。伝達部材５３の一端部５３ａは取付部材５８を介してノズル管３０に取り付けられる。伝達部材５３の他端部５３ｂは、二股部５６の切欠き５６ｂに挿入され、一対の先端部５６ａの間に配置される。
【００３７】
上記構成により、モータ６０の出力軸６０ａが回転すると、矩形状部材５０が回転するため、連結部材５１の一端側が出力軸６０ａ周りに回転する。これによって、連結部材５１の他端側に取り付けられた突出部材５７が左右方向に揺動する。突出部材５７が左右方向に揺動すると、揺動部材５２の軸体部５５が軸周りに所定の角度範囲で反復回転するので、二股部５６が所定の角度範囲で左右方向に揺動する。
【００３８】
伝達部材５３の他端部５３ｂは、二股部５６の切欠き５６ｂに挿入され、一対の先端部５６ａの間に配置されているので、伝達部材５３は二股部５６の左右方向の揺動に伴って揺動する。その結果、取付部材５８を介して伝達部材５３の一端部５３ａが取り付けられたノズル管３０は、左右方向に所定の角度範囲で揺動する。
【００３９】
こうして、モータ６０によって左右揺動機構５が駆動することで、すなわち連結部材５１が動作し、揺動部材５２が揺動し、この揺動が伝達部材５３によりノズル管３０へ伝達することで、ノズル管３０が左右方向に揺動する（図５）。なお、図２から明らかなように、揺動部材５２の二股部５６が左から右へ揺動すると、ノズル管３０は右から左へ揺動する。
【００４０】
この左右揺動機構５では、ノズル管３０を第２のスイベルジョイント３４を介して供給管３２に接続することで、ノズル管３０の左右方向の揺動を実現しているため、ノズル管３０が左右方向に揺動したとしても、供給管３２は左右方向に揺動しない。そのため、上下揺動機構４と同様に、ノズル管３０の左右方向に揺動によって、供給管３２に接続された可撓性ホース３１に負荷を与えることのない構成となっており、ホース３１の経年的な使用を保証している。したがって、スクリーン洗浄装置３では、ノズル管３０が上下方向および左右方向に揺動しても、可撓性ホース３１には高圧水Ｗの水圧以外に負荷がかかることは一切ないので、故障し難く、無人運転の信頼性が極めて高い。
【００４１】
上下揺動機構４および左右揺動機構５を駆動するための駆動手段６は、図２に示すように、モータ６０と、モータ６０の出力を減速するための減速機６１とを備える。
【００４２】
モータ６０の出力軸６０ａには、上述した左右揺動機構５の矩形状部材５０が取り付けられるだけでなく、スプロケット６２が取り付けられる。減速機６１の入力軸６１ａにもスプロケット６３が取り付けられ、チェーン６４がモータ６０のスプロケット６２および減速機６１のスプロケット６３に係合する。減速機６１の出力軸６１ｂには上下揺動機構４のクランクレバー４０が取り付けられる。
【００４３】
上記構成により、モータ６０の出力軸６０ａが回転することによって、左右揺動機構５が駆動し、さらに、モータ６０の駆動力はチェーン６４を介して減速機６１に伝達され、減速機６１の出力軸６１ｂが回転し、上下揺動機構４も駆動する。これにより、１つの駆動源（モータ６０）により、ノズル管３０は上下方向および左右方向に同時揺動しながらスクリーン１０へ高圧水Ｗを噴射することができ、スクリーン１０全体をくまなく自動洗浄することができる。こうして、スクリーン洗浄装置３は、スクリーン１０の分離性能を低下させることなく、維持している。
【００４４】
駆動手段６では、モータ６０の出力および減速機６１の減速比を調整することによって、ノズル管３０の上下方向および左右方向の往復揺動速度を自由に設定することができる。例えば、モータ６０の出力軸６０ａを毎分１５回転で回転するように設定し、減速機６１の減速比を１／４０と設定すると、ノズル管３０は１６０秒で上下方向に１往復し、その間に左右方向に４０往復する。
【００４５】
ところで、上記構成において、上下揺動機構４によりノズル管３０を上下方向に揺動すると、左右揺動機構５の伝達部材５３は、一端部５３ａがノズル管３０に取り付けられているため、上下方向に揺動してしまうが、この際、伝達部材５３の他端部５３ｂは、切欠き５６ｂ内を移動するようになっている。したがって、図４に示すように、ノズル管３０が下方向へ揺動したときに、伝達部材５３の他端部５３ｂが揺動部材５２の切欠き５６ｂから抜け出ることなく、一対の先端部５６ａの間に位置していれば、伝達部材５３は揺動部材５２の左右方向の揺動をノズル管３０へ確実に伝達でき、ノズル管３０の左右方向の揺動は保証される。
【００４６】
一方、ノズル管３０が下方向に揺動して、伝達部材５３の他端部５３ｂが切欠き５６ｂから抜け出て一対の先端部５６ａの間に位置しない場合、揺動部材５２が揺動しても、伝達部材５３は揺動しないので、揺動部材５２の揺動をノズル管３０へ伝達することができず、ノズル管３０は左右方向に揺動しない。
【００４７】
すなわち、揺動部材５２に、上下方向の揺動範囲に応じて所定長さ以上の切欠き５６ｂを形成しておけば、伝達部材５３がノズル管３０の上下方向の揺動に伴い揺動しても、伝達部材５３の他端部５３ｂが切欠き５６ｂから抜け出ることはないので、揺動部材５２の揺動の左右方向の揺動が確実にノズル管３０へ伝達される。こうして、ノズル管３０の上下方向および左右方向の同時揺動が保障される。
【００４８】
なお、ノズル管３０が上下方向および左右方向に揺動するにあたり、上端または下端に位置し、かつ、左端または右端に位置する際には、伝達部材５３の他端部５３ｂは大きく傾斜して切欠き５６ｂに挿入された状態となり、ノズル管３０の揺動に円滑さを欠くことがある。しかしながら、切欠き５６ｂの幅および伝達部材５３の他端部５３ｂの太さを適切に選択すれば、この問題は解消でき、ノズル管３０が上端または下端に位置し、かつ、左端または右端に位置しているときでも、ノズル管３０の揺動を円滑に行える。
【００４９】
なお、本実施例では、伝達部材５３の他端部５３ｂを揺動部材５２の切欠き５６ｂに挿入することで、ノズル管３０の上下方向および左右方向の円滑な同時揺動を確保しているが、この構成に限定されるものではない。例えば、上記のように揺動部材５２に切欠き５６ｂを形成するのではなく、左右方向および上下方向の同時揺動を保証する十分な長さの長孔を形成し、この長孔に伝達部材５３の他端部５３ｂを挿入するようにしてもよい。
【００５０】
また、伝達部材５３は、Ｌ字状の棒部材によって構成されているが、これに限定されるものではなく、揺動部材５２の揺動をノズル管３０に伝達できる構成であればどのようなものであってもよい。例えば、伝達部材５３を円弧状の棒部材で構成し、一端部をノズル管３０に取り付け、他端部を揺動部材５２の切欠き５６ｂまたは長孔に挿入する構成でもよい。
【００５１】
また、実施例の上下揺動機構４では、クランクレバー４０の基端部４０ａから先端部４０ｂまでの長さまたは突出部材４２の長さを調整することにより、上下方向の揺動範囲を変えることができ、これにより上下方向の洗浄幅を調整できる。そして、実施例の左右揺動機構５では、矩形状部材５０の長さ、突出部材５７の長さを調整することにより、左右方向の揺動範囲を変えることができ、これにより左右方向の洗浄幅を調整できる。したがって、スクリーン１０の大きさに合わせて上下方向および左右方向の洗浄幅を自由に変更できるため、様々な大きさのスクリーン１０に対応可能である。
【００５２】
また、実施例のスクリーン洗浄装置３は、１つのノズル管３０でスクリーン１０全体を洗浄している。しかしながら、スクリーン１０が左右方向に大きい場合には、複数のノズル管３０を左右方向に所定の間隔で配置して、スクリーン１０を洗浄する構成でもよい。この際、ノズル管３０は左右方向に揺動可能であるため、ノズル管３０の相互の間隔は左右方向の揺動範囲に応じて設定される。すなわち、ノズル管３０の左右方向の揺動範囲を大きくすれば、ノズル管３０の相互の間隔を大きくでき、スクリーン１０全体を洗浄するために必要となるノズル管３０の数を減らすことができる。
【００５３】
また、上記のスクリーン洗浄装置３のノズル管３０は、先端に１つの噴射口３０ａを備えた構成となっているが、これに限定されるものではない。例えば、図６に示すようなノズル管３０でもよい。図６のノズル管３０は、先端が二股に分岐してＹ字状に構成され、分岐した先端のそれぞれに噴射口３０ｂ、３０ｃを備える。このノズル管３０は、２つの噴射口３０ｂ、３０ｃから互いに異なる方向に高圧水Ｗを噴射してスクリーン１０を洗浄する。図６のノズル管３０では、二つの噴射口３０ｂ、３０ｃが互いに上下方向に間隔をあけて設けられているが、２つの噴射口３０ｂ、３０ｃを互いに左右方向に間隔をあけて設ける構成でもよい。ノズル管３０が２つの噴射口３０ｂ、３０ｃを備え、互いに異なる方向に高圧水Ｗを噴射することで、スクリーン１０の洗浄効率が向上する。
【００５４】
また、実施例では、上下揺動機構４を減速機６１を介して駆動させているが、左右揺動機構５を減速機６１を介して駆動させる構成でもよい。また、１つのモータ６０によって上下揺動機構４および左右揺動機構５の双方を駆動するのではなく、上下揺動機構用モータと、左右揺動機構用モータとを別個に設け、各モータを同期させて、ノズル管３０を上下方向および左右方向に同時に揺動して、スクリーン１０を洗浄するようにしてもよい。
【００５５】
また、図１の通り、スクリーン洗浄装置３は固液分離装置１の正面側に設置され、スクリーン１０を前方から洗浄しているが、この構成に限定されるものではない。固液混合物２の物性によっては、例えば図７に示すように、スクリーン洗浄装置３を固液分離装置１の背面側に設置し、スクリーン１０を後方から洗浄する場合もある。
【符号の説明】
【００５６】
１  固液分離装置
１０  スクリーン
２  固液混合物
２０  固体
２１  液体
３  スクリーン洗浄装置
３０  ノズル管
３１  可撓性ホース
３２  供給管
３３  第１のスイベルジョイント
３４  第２のスイベルジョイント
４  上下揺動機構
５  左右揺動機構
５２  揺動部材（二股レバー）
５３  伝達部材（Ｌ字状の棒部材）
５３ａ  伝達部材の一端部
５３ｂ  伝達部材の他端部
５５  揺動部材の軸体部
５６  揺動部材の二股部
５６ａ  一対の先端部
５６ｂ  切欠き
６  駆動手段
６０  モータ
６１  減速機
Ｗ  高圧水
【図１】
0005879119.tif 000002
【図２】
0005879119.tif 000003
【図３】
0005879119.tif 000004
【図４】
0005879119.tif 000005
【図５】
0005879119.tif 000006
【図６】
0005879119.tif 000007
【図７】
0005879119.tif 000008